(57)【特許請求の範囲】
【請求項１】
ロール紙をそのカール方向と逆方向に湾曲させることにより、そのロール紙のカールを除去するロール紙のカール除去装置において、
前記ロール紙を収納するロール紙トレイを備えたケース体と、
そのケース体に揺動可能に取着され、前記ロール紙の搬送路の一部を形成する揺動部材と、
前記ケース体を上方から開閉自在に覆うカバー体と、
そのカバー体の閉鎖にともなって前記揺動部材を所定の位置に案内する前記カバー体に一体的に設けられた案内リブと、
その案内リブにより所定の位置に案内された前記揺動部材とともに、前記ロール紙の搬送路をそのカール方向と逆方向に湾曲させる前記カバー体に一体的に設けられた搬送路形成リブと、
その搬送路形成リブ又は案内リブに向けて、前記揺動部材を付勢して、その揺動部材を前記所定の位置に保持する付勢部材とを備えたことを特徴とするロール紙のカール除去装置。
【請求項２】
前記揺動部材は、前記付勢部材により、前記ロール紙の搬送方向に付勢されていることを特徴とする請求項１記載のロール紙のカール除去装置。
【請求項３】
前記案内リブは、前記揺動部材の両側部分に作用するように一対設けられていることを特徴とする請求項１または２に記載のロール紙のカール除去装置。
【請求項４】
前記搬送路形成リブ及び前記案内リブは、前記カバー体に一体成形されていることを特徴とする請求項１から３のいずれかに記載のロール紙のカール除去装置。
【請求項５】
前記搬送路形成リブと案内リブとの間には、凹部が形成され、
前記揺動部材は、平板状の上板および下板と、その上板および下板の間を屈曲して連設する屈曲部とで構成され、
前記搬送路形成リブと案内リブとの間の凹部に、前記屈曲部が挿入されることにより前記搬送路が形成されることを特徴とする請求項１から４のいずれかに記載のロール紙のカール除去装置。
【発明の詳細な説明】
【０００１】
【発明の属する技術分野】
本発明は、ロール紙を使用したファクシミリ装置等におけるロール紙のカール除去装置に関し、特に、部品のガタつきをなくして、ガタによる不快音の発生や各部の破損を防止したロール紙のカール除去装置に関するものである。
【０００２】
【従来の技術】
図４は、従来技術におけるロール紙のカール除去装置を部分的に拡大して図示した側断面図である。このカール除去装置４０は、ファクシミリ装置に用いられたものである。
【０００３】
このカール除去装置４０では、上カバー４１には小判状の穴４２ａを有する樹脂製の軸受け４２が設けられ、その軸受け４２には円柱状に形成された鉄棒の軸４３が挿入されている。上カバー４１を回動軸４４を中心にして、プラテン４５や記録ヘッド４６の上方を覆う方向、即ち、図４中の矢印Ｃ方向に回動させると、記録フレーム４７に取着された右斜め下方への案内面を有する軸キャッチ４８により、軸４３が軸受け４２の小判状の穴４２ａ内を図４中の右方向に移動する。そして、ついには、軸４３が記録フレーム４７に取着された巻きぐせ取り板４９と図示するように対向配置された状態で、軸キャッチ４８の係止溝部に軸４３が係止（キャッチ）される。巻きぐせ取り板４９は、その屈曲部４９ａがロール紙５０側に向けて配設されているので、軸キャッチ４８に係止された軸４３が巻きぐせ取り板４９と近接して対向配置されることにより、ロール紙５０の搬送路には、ロール紙５０のカール方向と逆方向に湾曲された搬送路が形成される。ロール紙トレイ５１から引き出されたロール紙５０が、この搬送路を通過することにより、そのロール紙３のカールが除去されるように構成されている。
【０００４】
【発明が解決しようとする課題】
しかしながら、上記のカール除去装置４０では、ロール紙５０の搬送路を形成する軸４３は、軸受け４２に設けられた小判状の穴４２ａ内に挿入される構成なので、軸キャッチ４８に係止された軸４３と軸受け４２との間には、必然的にガタつきが生じてしまうという問題点があった。このためカール除去装置４０を搭載したファクシミリ装置の輸送時には、振動により、鉄棒の軸４３と樹脂製の軸受け４２との衝突が繰り返され、ガタつき部分で不快音が生じたり、軸受け４２が破損してしまうという問題点があった。
【０００５】
本発明は上述した問題点を解決するためになされたものであり、ロール紙の搬送路を形成する搬送路形成リブ及び揺動部材のガタつきをなくすことにより、輸送時などにおける不快音の発生や各部の破損を防止することができるロール紙のカール除去装置を提供することを目的としている。
【０００６】
【課題を解決するための手段】
この目的を達成するために、請求項１記載のロール紙のカール除去装置は、ロール紙をそのカール方向と逆方向に湾曲させることにより、そのロール紙のカールを除去するものであり、前記ロール紙を収納するロール紙トレイを備えたケース体と、そのケース体に揺動可能に取着され、前記ロール紙の搬送路の一部を形成する揺動部材と、前記ケース体を上方から開閉自在に覆うカバー体と、そのカバー体の閉鎖にともなって前記揺動部材を所定の位置に案内する前記カバー体に一体的に設けられた案内リブと、その案内リブにより所定の位置に案内された前記揺動部材とともに、前記ロール紙の搬送路をそのカール方向と逆方向に湾曲させる前記カバー体に一体的に設けられた搬送路形成リブと、その搬送路形成リブ又は案内リブに向けて、前記揺動部材を付勢して、その揺動部材を前記所定の位置に保持する付勢部材とを備えている。
【０００７】
この請求項１記載のロール紙のカール除去装置によれば、カバー体を閉鎖することにより、カバー体に一体的に設けられた案内リブが揺動部材に作用し、揺動部材が所定の位置に案内される。これによりロール紙の搬送路の一部は、揺動部材と搬送路形成リブとにより、そのカール方向の逆方向に湾曲される。ロール紙トレイから引き出されたロール紙が、この搬送路を通過することにより、ロール紙はカール方向と逆方向に湾曲され、その結果、ロール紙のカールが取り除かれる。
【０００８】
かかる搬送路は搬送路形成リブと揺動部材とにより形成される。搬送路形成リブはカバー体に一体的に設けられ、揺動部材はケース体に揺動可能に取着されているものの、付勢部材により、搬送路形成リブ又は案内リブに向けて付勢され所定の位置に保持されている。従って、該搬送路を形成する両部材は、ともにガタつくことなく所定の位置にそれぞれ配設される。
【０００９】
請求項２記載のロール紙のカール除去装置は、請求項１記載のロール紙のカール除去装置において、前記揺動部材は、前記付勢部材により、前記ロール紙の搬送方向に付勢されている。この請求項２記載のロール紙のカール除去装置によれば、請求項１記載のロール紙のカール除去装置と同様に作用する上、揺動部材は付勢部材によりロール紙の搬送方向へ付勢されているので、ロール紙が搬送された場合にも、揺動部材へ付与される付勢力は減殺されることがない。よって、ロール紙の搬送時にも、揺動部材はガタつくことなく、所定の位置に保持される。
【００１０】
請求項３記載のロール紙のカール除去装置は、請求項１または２に記載のロール紙のカール除去装置において、前記案内リブは、前記揺動部材の両側部分に作用するように一対設けられている。
【００１１】
請求項４記載のロール紙のカール除去装置は、請求項１から３のいずれかに記載のロール紙のカール除去装置において、前記搬送路形成リブ及び前記案内リブは、前記カバー体に一体成形されている。
請求項５記載のロール紙のカール除去装置は、請求項１から４のいずれかに記載のロール紙のカール除去装置において、前記搬送路形成リブと案内リブとの間には、凹部が形成され、前記揺動部材は、平板状の上板および下板と、その上板および下板の間を屈曲して連設する屈曲部とで構成され、前記搬送路形成リブと案内リブとの間の凹部に、前記屈曲部が挿入されることにより前記搬送路が形成される。
【００１２】
【発明の実施の形態】
以下、本発明の好ましい実施例について、添付図面を参照して説明する。本実施例のロール紙のカール除去装置は、ロール紙を使用したファクシミリ装置に用いられるものである。このカール除去装置は、主に、後述する上カバー（カバー体）５と巻きぐせ取り板（揺動部材）７とから構成されている。
【００１３】
図１は、かかるファクシミリ装置１の側断面図である。このファクシミリ装置１のケース体２には、ロール紙３を収納するロール紙トレイ４が設けられ、そのロール紙トレイ４の上方には、ロール紙３の上方を覆う上カバー５が設けられている。
【００１４】
上カバー５は、回動軸６を介してケース体２に回動可能に軸着されている。この上カバー５の回動軸６の他端側には、ロール紙トレイ４から引き出されたロール紙３の搬送路の一部を形成する搬送路形成リブ５ａが設けられている。搬送路形成リブ５ａはロール紙３の幅方向に連続して形成され、その長さはロール紙３の幅より若干長く形成されている。
この搬送路形成リブ５ａの両側部分には、搬送されるロール紙３を挟み込むように一対の案内リブ５ｂが設けられている。なお、この上カバー５は樹脂により射出成形されて形成されており、搬送路形成リブ５ａと、案内リブ５ｂとは、いずれもこの上カバー５に一体成形されている。
【００１５】
案内リブ５ｂの上部には、湾曲された溝部５ｅが形成されており、この溝部５ｅには、金属製の巻きぐせ取り板７が係合されている。この巻きぐせ取り板７は、搬送路形成リブ５ａとともに、ロール紙３の搬送路をそのカール方向と逆方向に湾曲させるものである。
巻きぐせ取り板７は、一対の揺動軸７ｇを介して、その両側がケース体２に揺動可能に軸着されており、下方に設けられた受け板７ｈがコイルバネ（付勢部材）８によって、揺動軸７ｇを中心に反時計方向に付勢されている。このため巻きぐせ取り板７は、常に、案内リブ５ｂに向けて付勢されることになる。
【００１６】
ここで、図２を参照して、この巻きぐせ取り板７の詳細を説明する。図２（ａ）は、巻きぐせ取り板７の正面図であり、図２（ｂ）はその側面図である。巻きぐせ取り板７は、主に、平板状の上板７ａと、その上板７ａの下方に配設された同じく平板状の下板７ｂと、その下板７ｂに連設された受け板７ｈとから構成されている。上板７ａと下板７ｂとは、屈曲部７ｃにて略Ｕ字状に屈曲されており、この屈曲部７ｃと上板７ａとがロール紙３の搬送路の一部を形成する。このため上板７ａ及び屈曲部７ｃの幅は、ロール紙３の幅より若干長く形成されている。
【００１７】
図１に示されるように、この屈曲部７ｃの先端が搬送路形成リブ５ａの先端と略Ｓ字状に対向配置されることにより、ロール紙３のカール方向と逆方向に湾曲された搬送路が形成される。この湾曲された搬送路をロール紙３が通過することにより、そのカールが除去されるのである。
【００１８】
図２において、屈曲部７ｃの両側には、一対の案内部７ｄが設けられている。この案内部７ｄと上板７ａ及び屈曲部７ｃとの間には切り込みが入れられており、切り込みの入れられた案内部７ｄの先端は、下板７ｂに向けて曲げられている。この案内部７ｄは、上カバー５の案内リブ５ｂに当接され摺動される部分であり、案内部７ｄが案内リブ５ｂに当接され摺動されることにより、巻きぐせ取り板７が所定の位置に移動されるのである。即ち、上カバー５が回動軸６を中心にケース体２を覆うように回動されると、案内部７ｄは、案内リブ５ｂに当接されつつ摺動されて、最終的に、案内リブ５ｂの上方に設けられた溝部５ｅへ案内される。案内部７ｄのかかる移動により、巻きぐせ取り板７は、図１に図示される所定の位置に移動される。
【００１９】
巻きぐせ取り板７の下板７ｂの両側には、円形の軸受け７ｆを備えた一対の側板７ｅがそれぞれ取着されている。両側板７ｅの軸受け７ｆ内にはネジ等が挿入され、このネジ等が揺動軸７ｇとしてケース体２に軸着されることによって、巻きぐせ取り板７がケース体２に取着されている。
【００２０】
下板７ｂには、コイルバネ８と当接される受け板７ｈが連設されており、その受け板７ｈには、水平方向にそれぞれ２条ずつ配列された複数対のバネ受け７ｉが取着されている。受け板７ｈに当接されたコイルバネ８は、このバネ受け７ｉによって、その当接位置がズレないようにされている。
【００２１】
図１において、巻きぐせ取り板７の下流側には、上板７ａから搬送されたロール紙３を記録部１０へ搬送するための一対の搬送ガイド９が設けられている。搬送ガイド９によりロール紙３が送られる記録部１０は、サーマルプリントヘッドからなる印字ヘッド１０ａと送りローラを兼ねたプラテン１０ｂとを備えている。この記録部１０は、記録部１０へ搬送された感熱印字用紙からなるロール紙３に、印字ヘッド１０ａによって選択的に熱を印加することにより、印刷を行うためのものである。記録部１０の更に下流側には、一対の搬送ローラ１１が設けられている。記録部１０で印刷の行われたロール紙３は、プラテン１０ｂの回転に伴って所定の速度で搬送された後に、この搬送ローラ１１によりファクシミリ装置１の外部へ排出される。
【００２２】
記録部１０及び搬送ガイド９の上方には、上カバー５に沿って挿入された原稿の画像を読み取るためのスキャナ装置１２が設けられている。このスキャナ装置１２は、一端を回動軸としてケース体２に軸着されたパネルカバー１３により、その上方が覆われている。
このパネルカバー１３は、その表面に、複数のボタンを備えた操作パネルやファクシミリ装置１の動作状況などを表示する液晶表示器を備えている。操作パネルに設けられたボタンが操作されることにより、ファクシミリ装置１が動作されるのである。
【００２３】
次に、図３を参照して、ロール紙３のカール方向と逆方向に湾曲された搬送路が形成される様子を説明する。この搬送路は、開放された上カバー５を矢印Ａ方向に回動することにより、巻きぐせ取り板７の屈曲部７ｃと上カバー５の搬送路形成リブ５ａとによって形成される。図３（ａ）及び（ｂ）は、上カバー５の回動の推移を順に図示しており、その状態は、上カバー５の回動が進むにつれて、図３（ａ）から図３（ｂ）に推移する。また、上カバー５が完全に閉じられた状態は図１に図示されている。
【００２４】
回動軸６を中心に上カバー５を矢印Ａ方向に回動させると、巻きぐせ取り板７はコイルバネ８により反矢印Ｂ方向に付勢されているので、図３（ａ）に示されるように、まず、巻きぐせ取り板７の案内部７ｄが、上カバー５の案内リブ５ｂに当接される。当接後も上カバー５の回動が継続されると、案内部７ｄは案内リブ５ｂに沿って摺動され、この摺動とともに、巻きぐせ取り板７は、揺動軸７ｇを中心にして矢印Ｂ方向へ揺動される。
【００２５】
案内部７ｄの摺動が更に継続されると、図３（ｂ）の状態を経て、案内部７ｄは、やがて案内リブ５ｂの上方に設けられた溝部５ｅへ案内され係合される。図１には、かかる状態が図示されている。溝部５ｅは案内部７ｄの形状に合わせて作られており、巻きぐせ取り板７はコイルバネ８により案内リブ５ｂに向けて付勢されているので、案内部７ｄが溝部５ｅへ挿入されることにより、上カバー５と巻きぐせ取り板７とはガタつきなく、ロックされる。
【００２６】
巻きぐせ取り板７の案内部７ｄが上カバー５の溝部５ｅ内に案内され係合されることにより、巻きぐせ取り板７の屈曲部７ｃの先端は、搬送路形成リブ５ａの先端を越えて、その上方に対向配置される。屈曲部７ｃの先端と搬送路形成リブ５ａの先端とは相反する方向に向っているので、一方７ｃが他方５ａを越えて対向配置されることにより、側面視で略Ｓ字状の搬送路が形成される。即ち、上カバー５を閉じるだけで、ロール紙３のカール方向と逆方向に湾曲された搬送路が形成されるのである。かかる搬送路をロール紙３が通過することにより、ロール紙３はカール方向と逆方向に曲げられ、そのカールが除去されるのである。
【００２７】
以上説明したように、本実施例のロール紙のカール除去装置は、主に、上カバー５と巻きぐせ取り板７とにより構成されるが、巻きぐせ取り板７はコイルバネ８により上カバー５に付勢されているので、両者５、７をガタなく装着することができる。従って、このカール除去装置を搭載したファクシミリ装置１の輸送時に振動などが生じても、ガタによる不快音の発生や部品の破損を防止することができる。
【００２８】
また、コイルバネ８による巻きぐせ取り板７の付勢方向は、ロール紙３の搬送方向と一致しているので、ロール紙３が搬送された場合にも、コイルバネ８の付勢力は減少されることがなく、巻きぐせ取り板７を案内リブ５ｂへ確実に付勢することができる。
【００２９】
上カバー５は、その溝部５ｅに巻きぐせ取り板７が挿入されることにより、ロックされる。即ち、巻きぐせ取り板７が、コイルバネ８と共に、上カバー５のロック部材として作用するので、上カバー５が不用意に外れてしまうことを防止することができる。
【００３０】
巻きぐせ取り板７は、案内リブ５ｂにより、その両側が案内されて所定の位置に移動されるので、巻きぐせ取り板７の全体が正確に位置決めされる。よって、巻きぐせ取り板７の幅方向に直交するロール紙３が幅広のものであっても、その幅方向の全域にわたってロール紙３のカールを除去することができる。
【００３１】
更に、本実施例のカール除去装置は、搬送路形成リブ５ａと案内リブ５ｂとが上カバー５に一体成形されており、その上カバー５に巻きぐせ取り板７を係合させるという簡単な構成なので、使用する部品数が少なくされ、組み付け工程を簡略化することができる。よって、その製品コストを低減することができる。
【００３２】
以上、実施例に基づき本発明を説明したが、本発明は上記実施例に何ら限定されるものではなく、本発明の趣旨を逸脱しない範囲内で種々の改良変形が可能であることは容易に推察できるものである。
【００３３】
例えば、上記の実施例では、案内リブ５ｂは巻きぐせ取り板７の一方（図１中左方）にのみ設けられた。しかし、かかる案内リブを巻きぐせ取り板７の他方（図１中の右方）又は両方に設けるようにしても良い。案内リブを巻きぐせ取り板７の他方（図１中の右方）に設けた場合には、コイルバネ８を引きバネに変えて、巻きぐせ取り板７を時計方向（図３中の矢印Ｂ方向）に付勢するように構成する。一方、案内リブを巻きぐせ取り板７の両方に設けた場合には、巻きぐせ取り板７をコイルバネ８や引きバネなどにより、いずれの方向に付勢しても良い。
【００３４】
また、搬送路形成リブ５ａと案内リブ５ｂは、いずれも上カバー５と一体に成形された。しかし、この両者又はその一方を上カバー５と別体に構成しても良い。この場合には、別体に構成された各リブ５ａ、５ｂは、上カバー５の組み付け前に、予めネジや接着剤などにより、上カバー５と一体にされる。このように組み付け前に上カバー５と一体にすることにより、上カバー５の組付けを容易に行うことが可能となる。
【００３５】
【発明の効果】
請求項１及び５に記載のロール紙のカール除去装置によれば、ロール紙の搬送路は、搬送路形成リブと揺動部材とにより、そのカール方向と逆方向に湾曲される。この搬送路を形成する搬送路形成リブは、カバー体に一体的に設けられ、揺動部材は付勢部材により搬送路形成リブ又は案内リブに付勢されている。よって、両部材ともガタなく所定の位置にそれぞれ配設されるので、輸送時などに振動が与えられても、ガタによる不快音の発生や各部の破損を防ぐことができるという効果がある。
【００３６】
請求項２及び５に記載のロール紙のカール除去装置によれば、請求項１記載のロール紙のカール除去装置の奏する効果に加え、揺動部材は付勢部材によりロール紙の搬送方向へ付勢されているので、ロール紙が搬送された場合にも、揺動部材へ付与される付勢力は減殺されることがない。よって、ロール紙の搬送時にも、揺動部材をガタつかせることなく、所定の位置に保持することができるという効果がある。
【００３７】
請求項３及び５に記載のロール紙のカール除去装置によれば、請求項１または２に記載のロール紙のカール除去装置の奏する効果に加え、揺動部材はその両側が案内リブにより案内されて所定の位置に移動されるので、揺動部材の全体をより確実に所定の位置に移動することができるという効果がある。また、案内リブにより所定の位置に移動された後の揺動部材は、その両側が案内リブによって位置決めされることにより、搬送路を移動するロール紙の負荷が加えられても、位置決めされた位置から動かされることがない。よって、ロール紙のカール方向と逆方向に湾曲された搬送路を維持することができるので、搬送路を移動するロール紙のカールを確実に除去することができるという効果がある。
【００３８】
請求項４及び５に記載のロール紙のカール除去装置によれば、請求項１から３のいずれかに記載のロール紙のカール除去装置の奏する効果に加え、搬送路形成リブ及び案内リブはカバー体に一体成形されているので、ロール紙のカール方向と逆方向に湾曲された搬送路を少ない部品数で形成することができる。よって、部品数の減少と組み付け工程の簡略化とにより、製品コストを低減することができるという効果がある。
【図面の簡単な説明】
【図１】  本発明の一実施例であるカール除去装置を用いたファクシミリ装置の側断面図である。
【図２】  （ａ）は巻きぐせ取り板の正面図であり、（ｂ）はその側面図である。
【図３】  （ａ）は、上カバーが回動閉鎖されることにより巻きぐせ取り板が所定の位置に移動される様子を示した側断面図であり、（ｂ）は、（ａ）における上カバーの回動が更に進んだ状態を示した側断面図である。
【図４】  従来技術におけるファクシミリ装置のカール除去装置を部分的に拡大して示した側断面図である。
【符号の説明】
１                      ファクシミリ装置
２                      ケース体
３                      ロール紙
４                      ロール紙トレイ
５                      上カバー（カバー体）
５ａ                    搬送路形成リブ
５ｂ                    案内リブ
５ｅ                    溝部
７                      巻きぐせ取り板（揺動部材）
７ａ                    上板
７ｂ                    下板
７ｃ                    屈曲部
７ｄ                    案内部
８                      コイルバネ（付勢部材）
【図１】
0003694997.tif 000002
【図２】
0003694997.tif 000003
【図３】
0003694997.tif 000004
【図４】
0003694997.tif 000005